(57)【要約】      （修正有）【課題】サックパックスタイルのシンプルさと実用性を兼ね備え、着用者の肩にストラップを保持する装置を提供する。【解決手段】バックパックアセンブリ１０は、着用者の背部に着用できる袋（パック）１２、袋に係合され、着用者の胸部に延長するストラップ２０、ストラップ保持具３０とから構成される。ストラップ保持具は、第１の側部に閉ループと、第２の側部に開ループとを有する。第１のサイドストラップは閉ループ内にスライド自在に保持され、第２のサイドストラップは開ループ内にスライド自在に保持される。閉ループは第２のサイドストラップの挿入および取り外しを可能とする側部開口部を有する。【選択図】図１
2013046756.tif 000002
【特許請求の範囲】
【請求項１】
バックパックアセンブリであって、
着用者の背部に着用できるように構成された袋（パック）と、
前記袋に係合され、前記着用者の胸部に延長するように構成されたストラップであって、少なくとも１つの第１のサイドストラップと少なくとも１つの第２のサイドストラップとを含むものである、前記ストラップと、
ストラップ保持具であって、
前記ストラップ保持具の第１の側部に設けられた閉ループであって、前記少なくとも１つの第１のサイドストラップは当該閉ループ内にスライド自在に保持されるものである、前記閉ループと、
前記ストラップ保持具の第２の側部に設けられた開ループであって、当該開ループは前記少なくとも１つの第２のサイドストラップをスライド自在に保持するように構成され、且つ前記少なくとも１つの第２のサイドストラップの挿入および取外しを可能とする側部開口部を含むものである、前記開ループと
を有する前記ストラップ保持具と
を有するバックパックアセンブリ。
【請求項２】
請求項１記載のバックパックアセンブリにおいて、前記ストラップは、弾性要素を有する紐であるバックパックアセンブリ。
【請求項３】
請求項１記載のバックパックアセンブリにおいて、前記ストラップ保持具は、さらに、内面と外面とを含み、前記閉ループは、前記内面が当該閉ループと結合する結合点を有する折曲部を含み、前記開ループは、前記内面が当該開ループと結合する結合点を有さない折曲部を含むものであるバックパックアセンブリ。
【請求項４】
請求項１記載のバックパックアセンブリにおいて、前記ストラップ保持具は単一成形品であるバックパックアセンブリ。
【請求項５】
請求項１記載のバックパックアセンブリにおいて、前記ストラップ保持具は中心部をさらに含み、前記閉ループおよび前記開ループは単一成形品であり、前記中心部により前記閉ループは前記開ループに連結されるものであるバックパックアセンブリ。
【請求項６】
請求項１記載のバックパックアセンブリにおいて、前記閉ループは後部と、前部と、当該前部と当該後部の間に位置する湾曲部とを含み、前記前部は前記後部に結合しているものであるバックパックアセンブリ。
【請求項７】
請求項１記載のバックパックアセンブリにおいて、前記開ループは後部と、前部と、当該前部と当該後部との間に位置する湾曲部とを含み、前記前部は前記後部に結合していないものであるバックパックアセンブリ。
【請求項８】
バックパックアセンブリであって、
着用者の背部に着用できるように構成された袋と、
前記袋に係合され、前記着用者の胸部に延長するように構成された紐であって、引き紐として前記袋に配置されるものである、前記紐と、
紐保持具であって、
前記紐にスライド自在に係合するように構成された第１の紐保持部と、
前記紐にスライド自在に係合するように構成され、前記第１の紐保持部に対向する第２の紐保持部と
を含むものである、前記紐保持具と
を有するバックパックアセンブリ。
【請求項９】
請求項８記載のバックパックアセンブリにおいて、
前記第１の紐保持部は、前記紐を取り囲むように構成された閉ループを含み、
前記第２の紐保持部は、前記紐の挿入および取外しを可能とする開ループを含むものであるバックパックアセンブリ。
【請求項１０】
請求項８記載のバックパックアセンブリにおいて、前記紐保持具は単一成形品であるバックパックアセンブリ。
【請求項１１】
請求項９記載のバックパックアセンブリにおいて、さらに、
前記閉ループと前記開ループとの間に位置する中心部を有し、前記閉ループおよび前記開ループは前記中心部より外側に向かって幅広になっており、これにより前記紐保持具は蝶ネクタイ形状を有するものであるバックパックアセンブリ。
【請求項１２】
請求項９記載のバックパックアセンブリにおいて、前記第２の紐保持部は、前記紐を前記開ループ内に案内するリップ部を含むものであるバックパックアセンブリ。
【請求項１３】
請求項９記載のバックパックアセンブリにおいて、前記閉ループは後部と、前部と、当該前部と当該後部との間に位置する湾曲部とを含み、前記前部は前記後部に結合しているものであるバックパックアセンブリ。
【請求項１４】
請求項９記載のバックパックアセンブリにおいて、前記開ループは後部と、前部と、当該前部と当該後部との間に位置する湾曲部とを含み、前記前部は前記後部に結合していないものであるバックパックアセンブリ。
【請求項１５】
バックパックアセンブリであって、
着用者の背部に着用できるように構成された袋と、
前記袋に係合され、前記着用者の胸部に延長するように構成されたストラップであって、引き紐として前記袋に配置される前記ストラップと、
前記ストラップを保持するチェストクリップ（ｓｔｅｒｎｕｍ  ｃｌｉｐ）であって、
後部と、
前記後部に接触する第１の折曲部を有する第１の側部と、
前記後部に接触しない第２の折曲部を有する第２の側部と、
前記後部と前記第２の折曲部との間に形成された開口部であって、前記ストラップは当該開口部を通過するように構成されているものである、前記開口部と
を有する前記チェストクリップと
を有するバックパックアセンブリ。
【請求項１６】
請求項１５記載のバックパックアセンブリにおいて、前記第２の折曲部は、前記後部から離れる方向に延出し、前記ストラップを前記開口部を介して案内するように構成されたリップ部を含むものであるバックパックアセンブリ。
【請求項１７】
請求項１５記載のバックパックアセンブリにおいて、前記後部はわずかに凸状であるバックパックアセンブリ。
【請求項１８】
請求項１５記載のバックパックアセンブリにおいて、前記第１の折曲部は閉ループを形成し、前記第２の折曲部は開ループを形成するものであるバックパックアセンブリ。
【請求項１９】
請求項１５記載のバックパックアセンブリにおいて、前記後部は中心部を含み、前記後部は、前記中心部においてよりも前記第１の側部および前記第２の側部においてより幅広であり、これにより前記後部は蝶ネクタイ形状となるバックパックアセンブリ。
【請求項２０】
請求項１５記載のバックパックアセンブリにおいて、前記ストラップは、弾性要素を含む材料から作製されるものであるバックパックアセンブリ。
【請求項２１】
請求項１５記載のバックパックアセンブリにおいて、前記閉ループは、前部と、当該前部と前記後部との間に位置する湾曲部とを含み、前記前部は前記後部に結合しているものであるバックパックアセンブリ。
【請求項２２】
請求項１５記載のバックパックアセンブリにおいて、前記開ループは、前部と、当該前部と前記後部との間に位置する湾曲部とを含み、前記前部は前記後部に結合していないものであるバックパックアセンブリ。
【発明の詳細な説明】
【技術分野】
【０００１】
本発明はサックパックに関し、特にサックパックの保持具に関する。
【背景技術】
【０００２】
多種多様な形状およびスタイルのキャリングバッグが存在する。一般にバックパックと呼ばれる背負うスタイルのキャリングバッグは、使用者が肩および背部の両方にバッグの重量を分配させることが可能なため、いくつかの用途に有用である。その上、使用者はバックパックを携帯しながら、両手を自由に使うこともできる。
【０００３】
バックパックはまた、様々な形態のものがある。ハイキングおよびキャンプ旅行に用いられるトレッキングバックパックは、炭素繊維またはアルミニウムから作られている内部または外部フレームを含み、１００リットルの容量を有し、着用者の胸、ウエスト、および腰に渡る追加のストラップを含み、このストラップは重量を配分し、空の状態で８ポンドの重量がある。日常使用するものとしては、トレッキングバックパックは不必要に大きくてかさばり、ユーザの要求を満足させるものはより小さくシンプルなバックパックである。例えば、少数の軽量な物品を運ぶためには、およそ８リットルの容量で２〜３オンスのシンチサック（ｃｉｎｃｈ  ｓａｃｋ）、またはサックパック（ｓａｃｋ  ｐａｃｋ）（また引きひもバックパック（ｄｒａｗｓｔｒｉｎｇ  ｂａｃｋｐａｃｋ）とも呼ばれる）で十分である。引きひもバックパックは、引きひもとして当該バッグの頂部の開口部を制御するため２重になっているストラップを有するように設計されている。このデザインにより、アセンブリにはわずか単一の袋（サック）と２つの引きひもを必要とするだけのため簡素化が可能となり、結果的に前記引きひもバックパックの製造コストは比較的低く抑えられる。
【０００４】
サックパックのシンプルさ、および少数の軽量物品を運ぶそれらの典型的な使用方法のため、前記ストラップが使用者の肩から滑り落ちる傾向がある。上記に鑑みて、バックパックのサックパックスタイルのシンプルさと実用性を兼ね備えながら、使用者の肩に前記ストラップを保持する装置をサックパックに提供することは有益であろう。
【発明の概要】
【課題を解決するための手段】
【０００５】
開示の１実施形態によれば、着用者の背部に着用できるように構成された袋（パック）と、前記袋に係合され、前記着用者の胸部に延長するように構成されたストラップであって、少なくとも１つの第１のサイドストラップと少なくとも１つの第２のサイドストラップとを含むものである、前記ストラップとを含むバックパックアセンブリが提供される。前記バックパックアセンブリはまた、ストラップ保持具であって、当該ストラップ保持具の第１の側部に設けられた閉ループを含み、前記少なくとも１つの第１のサイドストラップは前記閉ループ内にスライド自在に保持されるものである、前記ストラップ保持具を含む。前記ストラップ保持具はまた、当該ストラップ保持具の第２の側部に開ループを有し、当該開ループは前記少なくとも１つの第２のサイドストラップがスライド自在に保持されるように構成されている。前記開ループは、前記少なくとも１つの第２のサイドストラップの挿入および取外しを可能とする側部開口部を有する。
【０００６】
開示の別の実施形態によれば、着用者の背部に着用できるように構成された袋と、前記袋に係合された紐とを含むバックパックアセンブリが提供される。前記紐は、着用者の胸部に延長するように構成され、引き紐として前記袋に配置される。前記バックパックはまた、前記紐がスライド自在に係合されるように構成された第１の紐保持部と、前記紐がスライド自在に係合されるように構成され、当該第１の紐保持部に対向する第２の紐保持部とを有する紐保持具を含む。
【０００７】
開示の更に別の実施形態によれば、着用者の背部に着用できるように構成された袋と、前記袋に係合されたストラップと、チェストクリップ（ｓｔｅｒｎｕｍ  ｃｌｉｐ）とを含むバックパックアセンブリが提供される。前記ストラップは、前記着用者の胸部に延長するように構成され、引き紐として前記袋に配置される。前記チェストクリップは、後部と、前記後部に接触する第１の折曲部を有する第１の側部と、前記後部に接触しない第２の折曲部を有する第２の側部と、前記第２の折曲部と前記後部との間に形成される開口部とを含む。前記開口部は、前記ストラップが通過するように構成されている。
【０００８】
上述の特徴および利点、並びにその他のことは、以下の詳細な記載および添付の図面を参照することにより当業者にとってより容易に明らかになるであろう。１若しくはそれ以上の様々な有利な特徴を提供するもたらされる記事を提供することが望ましいであろうが、本明細書に記載の教示は、１若しくはそれ以上の上述の利点を達成するか否かに関わらず、添付の特許請求の範囲の範囲内に属する実施形態にまで及ぶものである。
【図面の簡単な説明】
【０００９】
【図１】図１は、ストラップの１つに取り付けられたチェストクリップを含むバックパックアセンブリを示す。
【図２】図２は、引き紐を備えた図１のバックパックアセンブリを示す。
【図３】図３は、図１のチェストクリップの正面図を示す。
【図４】図４は、図１のチェストクリップの側面図を示す。
【図５】図５は、使用時の非結合位置にある図１のチェストクリップを示す。
【図６】図６は、使用時の結合位置にある図１のチェストクリップを示す。
【発明を実施するための形態】
【００１０】
図１〜図５を参照すると、使用者によって着用または背負われるバックパックアセンブリ１０が示されている。前記バックパックアセンブリ１０は、使用者の背部に着用または背負われるものである。前記バックパックアセンブリ１０は、使用者の持ち物を保持する袋（パック）１２と、前記袋１２に係合され、且つ前記バックパックの使用時には使用者の肩に延長するように設計および必要な寸法に形成された２つのストラップ２０とを含む。前記バックパックアセンブリ１０はまた、前記ストラップ２０にスライド自在に取り付けられるチェストクリップ３０を含む。前記バックパックアセンブリ１０の使用時に、前記使用者は前記ストラップ２０を肩に着用し、前記チェストクリップ３０によって前記ストラップ２０を使用者の胸骨あたりで互いに近づけて保持する。
【００１１】
前記袋１２は任意の数の異なる形状で提供される。前記袋１２の１つの例示的な形状が図１に示されている。前記袋１２は、底部１４で閉鎖される本体部１３と、頂部１６の開口部１７とを含む。前記開口部１７は引き紐によって閉鎖される。典型的には、前記ストラップ２０は、引き紐として機能することにより、前記ストラップ２０を引っ張ると、前記袋１２の頂部１６で前記開口部１７が締め付けられて閉じる。このようなタイプの袋１２は、「サックパック」または「シンチサック」として一般に知られている。しかしながら、前記袋１２が任意の数の異なる形状で提供される袋（バッグ）であってもよいことは認識されるであろう。
【００１２】
前記ストラップ２０は前記袋１２に係合され、使用者の胸部に延長するように構成されている。前記ストラップ２０は前記袋１２の底部１４に係合されており、前記袋１２の頂部１６に延長している。前記袋１２の頂部１６において、前記ストラップ２０は、前記ストラップ２０が前記バックパックアセンブリ１０に向かって引っ張られると、前記バックパックアセンブリ１０に提供された引き紐が前記開口部１７を締めるような方法で前記袋１２に係合される。例えば、図２に示すように、前記ストラップは前記袋の開口部１７の周囲に沿って形成されたチャネル５０を通って延長する。このような配置により、前記バックパックアセンブリがサックパックとして使用されることを可能にし、これにより前記ストラップ２０が引き寄せられると、前記袋１２の開口部１７が閉じる。しかしながら、他の実施の形態において、前記バックパックアセンブリ１０の使用時に前記ストラップ２０が使用者の肩に着用されることが可能なあらゆる方法で、前記ストラップ２０が前記袋１２の底部１４および頂部１６に係合されるような前記ストラップ２０の異なる構成があることは認識されるであろう。
【００１３】
前記ストラップ２０は多数の異なる形状で提供される。例えば、前記ストラップ２０は糸のような細い紐または通常の紐の形状であってもよい。前記ストラップ２０は可撓性のある任意の形状であり、前記バッグの底部１４に係合されることが可能であり、且つ前記袋１２の頂部１６で引き紐として機能することが可能である。１実施形態において、前記ストラップ２０は、例えばエラステイン（またはスパンデックス）繊維などの弾性要素を有する材料から作製される。これにより前記ストラップ２０は長手方向に伸長して、使用者および前記袋１２に必要なものをより良く提供することが可能となる。
【００１４】
前記チェストクリップ３０は、前記ストラップ２０にスライド自在に係合されているため、前記バックパックアセンブリ１０の使用時に使用者の胸骨の上に配置するようにできる。換言すれば、使用時前記チェストクリップ３０は、前記ストラップ２０が互いに接近して、使用者の胸の上または近くに配置された状態になるように前記ストラップ２０を保持する。このように、前記チェストクリップ３０はまた、「ストラップ保持具」または「紐保持具」と呼ばれる。
【００１５】
図３〜４でより詳細に示すように、前記チェストクリップ３０は内面４０、外面４１、第１の側部３２、第２の側部３４、および中心部４２を含む単一構成要素として提供される。前記チェストクリップ３０の第１の側部３２は、前記袋１２の片側からの前記ストラップ２０を保持するように構成されている。前記チェストクリップ３０の第２の側部３４は、前記袋１２の反対側からの前記ストラップ２０を保持するように構成されている。前記中心部４２は、前記チェストクリップ３０の第１の側部３２および第２の側部３４の間の位置に置かれる略矩形状板部材である。正面図から、前記チェストクリップ３０の第１の側部３２および第２の側部３４は、前記中心部４２より外側に向かって幅広になっている。
【００１６】
前記チェストクリップ３０の第１の側部３２および第２の側部３４は、前記チェストクリップ３０の中心部４２から延長するウイング６０を含む。各ウイング６０は、後部６２と、湾曲部６４と、前部６６とを含む。前記後部６２は、前記チェストクリップ３０の中心部４２から横方向へ延出する板状部材である。前記後部６２は前記湾曲部６４に合流した一体化形状となっている。前記湾曲部６４は、約１８０?湾曲する前記ウイング６０において曲げを形成する。前記前部６６は、前記湾曲部６４から延出し、且つ前記チェストクリップ３０の中心部４２に向けて延出するＣ型バンドとして形成される（前記前部６６のＣ型形状は、図３で見られる。）前記前部６６は概して円弧状バンドであり、前記湾曲部６４に結合された前記円弧状バンドの端部６８と、前記チェストクリップ３０の中心部４２に近接した位置に置かれた前記円弧状バンドの頂上部７０を有する。前記前部６６は概して円弧状であるため、腹面部の中心にウィンドウ７２（図３に図示）が形成されている。前記ウィンドウ７２は、前記チェストクリップを正面から（例えば、図３で図示する眺めで）見た場合、前記チェストクリップ３０の側部３２、３４において内面４０が露出される。
【００１７】
これから特に図４を参照して、前記チェストクリップ３０の第１の側部３２に設けられた前記ウィング６０と、前記チェストクリップ３０の第２の側部３４に設けられた前記ウィング６０との構成は異なっている。前記チェストクリップ３０の第１の側部３２に設けられた前記ウィング６０は、前記袋１２の片側からの前記ストラップ２０を取り囲むように構成される閉ループ３６を形成する。特に、前記第１の側部３２に設けられた前記ウイング６０の前部６６は、前記中心部４２の近くで前記チェストクリップ３０のウイング６０の後部６２に結合する。このように、前記チェストクリップ３０の第１の側部３２に設けられた前記ウイング６０の後部６２、湾曲部６４、および前部６６によって、閉ループ３６が形成される。この閉ループ３６は、前記チェストクリップ３０に、第１の軸線８０（図３に図示）に沿って画成される第１の通路３５を形成する。前記第１の通路３５は、前記ストラップ２０を受け入れ、且つ前記ストラップ２０が当該第１の通路３５内でスライド可能である十分なサイズである。しかしながら、前記第１の通路３５は、前記ストラップ２０が前記閉ループ３６の外部への通過を可能とするいかなる側部開口部（すなわち、前記第１の軸線８０に垂直な方向の開口部）も含まない。このように、前記ストラップ２０が前記第１の通路３５内でスライドするとき、前記チェストクリップ３０は前記ストラップ２０に係合されたままである。前記チェストクリップ３０の第１の側部３２が前記ストラップ２０に沿って移動可能であるが、前記ストラップ２０の両端が前記袋１２に係合されている場合、前記ストラップは前記チェストクリップ３０へ挿入されたり取り外したりできない。前記第１の通路３５を形成する前記閉ループ３６はまた、本明細書において「第１のストラップ係合部」または「第１のストラップ保持部」と呼ばれる。
【００１８】
前記チェストクリップ３０の第２の側部３４に設けられたウイング６０は、前記袋１２の反対側から前記ストラップ２０を係合するように構成される開ループ３８を形成する。特に、前記第２の側部３４に設けられた前記ウイング６０の前部６６は、前記中心部４２の近辺において前記チェストクリップ３０のウイング６０の後部６２には結合されず、前記第２の側部３４の前部６６と後部６２との間に開口部５５が維持される。このように、前記チェストクリップ３０の第２の側部３４に設けられた前記ウィング６０の後部６２、湾曲部６４、および前部６６によって、開ループ３８が形成される。この開ループ３８は、前記チェストクリップ３０に、第２の軸線８２（図３に図示）に沿って画成される第２の通路３７を形成する。前記第２の通路３７は、前記ストラップ２０を受け入れ、且つ前記ストラップ２０が前記第２の通路３７内でスライド可能である十分なサイズである。加えて、第２の通路３７は、前記ストラップ２０が前記開ループ３８の外部への通過を可能とする、前記第２の軸線８２に垂直な方向の開口部５５を含む。前記開口部５５は、前記ストラップ２０の幅よりも概して小さい寸法を有している。従って、前記ストラップ２０は、当該ストラップを前記開口部５５を介して前記第２の通路３７の中に押し込むため僅かに圧縮される。このように、前記ストラップ２０が前記第２の通路３７内でスライドするとき、前記チェストクリップ３０の第２の側部３４は前記ストラップ２２に係合されたままである。加えて、前記チェストクリップ３０の第２の側部３４は前記ストラップ２０に沿って移動可能であり、前記ストラップ２０は、当該ストラップ２０の両端部が前記袋１２に結合されたままである間、前記開口部５５を通して前記チェストクリップ３０へ挿入したり取り外したりすることができる。前記第２の通路３７を形成する前記開ループ３８はまた、本明細書において「第２のストラップ係合部」または「第２のストラップ保持部」と呼ばれる。
【００１９】
図３〜４に開示さる実施形態の前記チェストクリップ３０は、「蝶ネクタイ」形状であると見なされる。言い換えると、前記クリップ３０はより狭い中心領域（すなわち、中心部４２）と、当該中心領域から外側に延出するより幅広い端部（すなわち、前記第１の側部３２および前記第２の側部３４）とを有している。前記蝶ネクタイ形状クリップ３０の第１の側部３２は、集合的に「第１の折曲部」と呼ばれる前記湾曲部６４と前記前部６６とを含む。前記第１の折曲部は、前記チェストクリップ３０の内面４０を約１８０°回転させ、前記内面４０が前記中心部４２の近くの交点６９でそれ自体に結合するまで前記中心部４２へ後方に向かう角度で移動される。結果的に、前記第１の側部３２に備わる前記内面４０は、前記前部６６に備わる前記内面４０が実際に前記後部６２に備わる前記内面４０に結合するような閉ループ３６になる。前述したように、この結合によって形成される閉ループ３６は、前記チェストクリップ３０の第１の側部３２に第１の通路３５を形成し、この第１の通路は前記ストラップ２０を受け入れて、前記ストラップ２０が前記閉ループを介してスライド可能なように構成される。前記チェストクリップ３０の第１の側部３２に備わる前記ストラップ２０は前記閉鎖された第１の通路３５内にスライド自在に保持されるが、前記前部６６と前記後部６２との間の接触のため、前記ストラップ２０は前記チェストクリップ３０の第１の側部３２に設けられた前記閉鎖された第１の通路３５へ挿入されたり取り外したりできない。
【００２０】
前記蝶ネクタイ形状クリップ３０の第２の側部３４は、集合的に「第２の折曲部」と呼ばれる前記湾曲部６４と前記前部６６とを含む。この第２の折曲部は前記チェストクリップ３０の内面４０を約１８０°回転させ、前記中心部４０へ後方に向かう角度で移動させるが、前記内面４０はそれ自体に結合しない。その代わり、前記第２の折曲部は側部開口部５５（図４に図示）を含む。結果的に、前記第２の側部３４に備わる前記内面４０は、前記前部６６に備わる前記内面４０が前記後部６２に備わる前記内面４０に結合しないような開ループ３８になる。前述したように、この配置によって形成される前記開ループ３８は、前記チェストクリップ３０の第２の側部３４に第２の通路３７を形成し、この第２の通路は前記ストラップ２０を受け入れて、前記ストラップ２０が前記開ループを介してスライド可能なように構成される。前記チェストクリップ３０の第２の側部３４に備わる前記ストラップ２０は、前記第２の通路３７内にスライド自在に保持され、前記第２の折曲部と前記表面４０との間の前記開口部５５を介して前記チェストクリップ３０の第２の側部３４に設けられた前記第２の通路３７に挿入させたり取り外したりできる。
【００２１】
図４に示すように、前記第２の折曲部は前記表面４０から離れるように広がるリップ部９０を含み、このリップ部は前記ストラップ２０を前記開口部５５を介して案内するのを助ける。その上、前記表面４０は僅かに凸状であり、これにより前記中心部４２が前記第１の側部３２および前記第２の側部３４の最も低い部分と同一の平面に位置しないようになっている。
【００２２】
前記チェストクリップ３０は多数の異なる方法で形成される。例えば、前記第１の側部３２、前記第２の側部３４、および前記中心部４２は、取り外しができない構成要素とともに単一成形品として形成される。前記クリップ３０は、当技術分野で周知の様々な材料のうちの任意の材料（例えば、ＰＶＣまたはその他のポリマー）を使用して、当技術分野で周知の様々な方法のうちの任意の方法（例えば、射出成形）によって形成される。１代替実施形態において、前記第１の側部３２および前記第２の側部３４は単一品として提供されず、その代わり前記第１の側部３２または前記第２の側部３４は前記中心部４２から取り外し可能であって、別個の成形品として形成される。前記第１の側部３２または前記第２の側部３４が別個の成形品として形成される場合、前記チェストクリップ３０の中心部４２は前記別個の構成要素を着脱可能に結合するように構成される接合具または接合部を含むであろう。前記中心部４２は、当該中心部が前記第１の側部３２を前記第２の側部３４に確実に結合させ、ひいては前記閉ループ３６を前記開ループ３８に確実に結合させることが可能な任意の方法で作製される。１実施形態において、前記中心部４２は比較的可撓性がありかつ弾力的であり、使用中にいくらかの弾性コンプライアンスおよび快適さを提供する。別の実施形態において、前記中心部４２は、前記開口部５５により隙間を提供することによって前記ストラップ２０を前記第２の側部３４に挿入したり取り外したりするのを促進するように曲げることが可能である。
【００２３】
使用に際して、前記バックパックアセンブリ１０の使用者が前記ストラップ２０の中に腕を通して、背部に前記袋１２が配置される。前記使用者は今図５に示すような非結合位置の前記バックパックアセンブリ１０を有している。前記ストラップ２０は前記チェストクリップ３０の第１の側部３２に設けられた前記閉ループ３６内にスライド自在に保持され、前記チェストクリップ３０の第２の側部３４に設けられた前記開ループ３８内の開口部５５の中に挿入されない。前記使用者は次に、前記開ループ３８に設けられた前記開口部５５を介して前記ストラップ２０を挿入し、これにより前記バックパックアセンブリ１０は図６に示すような結合位置にある。前記ストラップ２０は、前記チェストクリップ３０の第１の側部３２に設けられた前記閉ループ３６内および前記チェストクリップ３０の第２の側部３４に設けられた開ループ３８内にスライド自在に保持される。前記使用者はこれで前記ストラップ２０が肩から滑り落ちることを心配しないでバックパックアセンブリ１０を着用することができ、持ち物をハンズフリーで運ぶことができるようになる。
【００２４】
前記サックパック・チェストクリップの１若しくはそれ以上の実施形態の上述の詳細な記載が、本明細書において限定ではなく実施例のみを手段として説明されてきた。本明細書に記載されたその他の特徴および機能を組み込まないで得られる、本明細書に記載される特定の個々の特徴および機能の利点が存在することは認識されるであろう。更に、上記で開示された実施形態の様々な代替手段、修正、変更、改善、並びにその他の特徴および機能、またはそれらの代替は、多くの他の異なる実施形態、システム、および適用に望ましい方法で組み合わされる。本明細書の現在予見できないまたは予期できない代替手段、修正、変更、または改善は当業者によってその後実行されるものであり、それはまた添付の特許請求の範囲によって包含されることを目的としている。従って、あらゆる添付の特許請求の範囲の趣旨および範囲は、本明細書に含くまれる実施形態の記載に限定されるべきではない。
【図１】
2013046756.tif 000003
【図２】
2013046756.tif 000004
【図３】
2013046756.tif 000005
【図４】
2013046756.tif 000006
【図５】
2013046756.tif 000007
【図６】
2013046756.tif 000008
【外国語明細書】
2013046756000001.pdf
2013046756000002.pdf
2013046756000003.pdf
2013046756000004.pdf